(57)【特許請求の範囲】
【請求項１】
ワイヤレス通信のための装置であって、
データユニットのサブフレームを生成するように構成された処理システムと、前記サブフレームは、前記サブフレーム中のソースアドレス（ＳＡ）またはデスティネーションアドレス（ＤＡ）のうちの少なくとも１つの有無を示す第１のフィールドを備え、
フレームアグリゲーションを用いて、他方の装置へ前記サブフレームを送信するように構成された送信機と、ここにおいて、前記処理システムは、前記ＳＡまたはＤＡのうちの少なくとも１つが前記サブフレームには無いときで、かつ、前記少なくとも１つのＳＡまたはＤＡが前記他方の装置に記憶されていないときに、前記ＳＡまたはＤＡのうちの前記少なくとも１つが前記データユニットのヘッダ中のソースから推定されることを、前記第１のフィールドを介して前記他方の装置に示すように構成されている、
を備える装置。
【請求項２】
前記第１のフィールドは、前記サブフレーム中のＭａｃサービスデータユニット（ＭＳＤＵ）の長さを示す第２のフィールドの前で前記サブフレーム中に位置する、請求項１に記載の装置。
【請求項３】
前記第１のフィールドは、前記サブフレーム中に存在する場合、前記ＳＡまたはＤＡのうちの少なくとも１つの位置の前で前記サブフレーム中に位置する、請求項１に記載の装置。
【請求項４】
前記第１のフィールドのシングルビットは、
前記サブフレーム中に前記ＳＡとＤＡの両方が存在すること、または
前記サブフレームには前記ＳＡとＤＡの両方が無いこと、
のいずれかを示す、請求項１に記載の装置。
【請求項５】
前記ソースは、ＭＡＣプロトコルデータユニット（ＭＰＤＵ）ヘッダ、または前記サブフレームの前に受信された先行ＭＳＤＵのうちの少なくとも１つを備える、請求項１に記載の装置。
【請求項６】
前記処理システムは、
ＳＡが、前記ＭＰＤＵヘッダ中の送信機アドレス（ＴＡ）から決定されること、または
ＤＡが、前記ＭＰＤＵヘッダ中の受信機アドレス（ＲＡ）から決定されること、
のうちの少なくとも１つを前記第１のフィールドを介して示すように構成されている請求項５に記載の装置。
【請求項７】
前記第１のフィールドは、
前記サブフレーム中に前記ＳＡが存在することを示す１つまたは複数のビットを有するＳＡプレゼントフィールド、または、
前記サブフレーム中に前記ＤＡが存在することを示す１つまたは複数のビットを有するＤＡプレゼントフィールド、
のうちの少なくとも１つを備える、請求項１に記載の装置。
【請求項８】
前記ＳＡプレゼントフィールドは、前記ＳＡが前記サブフレームには無い場合、前記ＳＡが、前記他方の装置へ送信されたＭＡＣプロトコルデータユニット（ＭＰＤＵ）ヘッダ、前記サブフレームの前に送信された先行ＭＳＤＵ、または前記他方の装置に記憶された値のうちの少なくとも１つから推定されることを示す、請求項７に記載の装置。
【請求項９】
前記ＤＡプレゼントフィールドは、前記ＤＡが前記サブフレームには無い場合、前記ＤＡが、前記他方の装置へ送信されたＭＡＣプロトコルデータユニット（ＭＰＤＵ）ヘッダ、前記サブフレームの前に送信された先行ＭＳＤＵ、または前記他方の装置に記憶された値のうちの少なくとも１つから推定されることを示す、請求項７に記載の装置。
【請求項１０】
フレームアグリゲーションを用いて送られたデータユニットのサブフレームを、他方の装置から、受信するように構成された受信機と、前記サブフレームは、前記サブフレーム中のソースアドレス（ＳＡ）またはデスティネーションアドレス（ＤＡ）のうちの少なくとも１つの有無を示す第１のフィールドを備え、
前記第１のフィールド中の１つまたは複数のビットに基づいて前記データユニットのために前記ＳＡおよびＤＡのうちの少なくとも１つの前記有無を決定することと、
前記ＳＡまたはＤＡのうちの前記少なくとも１つが前記サブフレームには無いときで、かつ、前記ＳＡまたはＤＡのうちの前記少なくとも１つが前記装置に記憶されていないときに、前記第１のフィールド中の１つまたは複数のビットに基づいて、前記データユニットのヘッダ中のソースから前記ＳＡまたはＤＡのうちの前記少なくとも１つを推定することと、
を行うように構成された処理システムと、
を備えるワイヤレス通信のための装置。
【請求項１１】
前記第１のフィールドのシングルビットは、
前記サブフレーム中に前記ＳＡとＤＡの両方が存在すること、または
前記サブフレームには前記ＳＡとＤＡの両方が無いこと、
のいずれかを示す、請求項１０に記載の装置。
【請求項１２】
前記ソースは、ＭＡＣプロトコルデータユニット（ＭＰＤＵ）ヘッダ、または前記サブフレームの前に受信された先行ＭＳＤＵのうちの少なくとも１つを備える、請求項１０に記載の装置。
【請求項１３】
前記処理システムは、
前記ＭＰＤＵヘッダ中の送信機アドレス（ＴＡ）からＳＡ、または
前記ＭＰＤＵヘッダ中の受信機アドレス（ＲＡ）からＤＡ
のうちの少なくとも１つを推定するように構成されている、請求項１２に記載の装置。
【請求項１４】
前記処理システムは、
前記サブフレーム中にＳＡが存在することを示す１つまたは複数のビットを有する前記サブフレーム中のＳＡプレゼントフィールドに基づいて前記ＳＡ、または、
前記サブフレーム中にＤＡが存在することを示す１つまたは複数のビットを有する前記サブフレーム中のＤＡプレゼントフィールドに基づいて前記ＤＡ
のうちの少なくとも１つを決定し、
前記第１のフィールドは、前記ＳＡプレゼントフィールド、または、前記ＤＡプレゼントフィールド、のうちの少なくとも１つを備える、請求項１０に記載の装置。
【請求項１５】
前記ＳＡプレゼントフィールドは、前記ＳＡが前記サブフレームには無い場合、前記ＳＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、請求項１４に記載の装置。
【請求項１６】
前記ＤＡプレゼントフィールドは、前記ＤＡが前記サブフレームには無い場合、前記ＤＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、請求項１４に記載の装置。
【請求項１７】
データユニットのサブフレームを生成するための手段と、前記サブフレームは、前記サブフレーム中のソースアドレス（ＳＡ）またはデスティネーションアドレス（ＤＡ）のうちの少なくとも１つの有無を示す第１のフィールドを備え、
フレームアグリゲーションを用いて、他方の装置へ前記サブフレームを送信するための手段と、ここにおいて、前記生成するための手段は、前記ＳＡまたはＤＡのうちの少なくとも１つが前記サブフレームには無い場合で、かつ、前記少なくとも１つのＳＡまたはＤＡが前記他方の装置に記憶されていない場合に、前記ＳＡまたはＤＡのうちの前記少なくとも１つが前記データユニットのヘッダ中のソースから推定されることを、前記第１のフィールドを介して前記他方の装置に示すように構成されている、
を備えるワイヤレス通信のための装置。
【請求項１８】
前記第１のフィールドは、前記サブフレーム中のＭａｃサービスデータユニット（ＭＳＤＵ）の長さを示す第２のフィールドの前で前記サブフレーム中に位置する、請求項１７に記載の装置。
【請求項１９】
前記第１のフィールドは、前記サブフレーム中に存在する場合、前記ＳＡまたはＤＡのうちの少なくとも１つの位置の前で前記サブフレーム中に位置する、請求項１７に記載の装置。
【請求項２０】
前記第１のフィールドのシングルビットは、 
前記サブフレーム中に前記ＳＡとＤＡの両方が存在すること、または
前記サブフレームには前記ＳＡとＤＡの両方が無いこと、
のいずれかを示す、請求項１７に記載の装置。
【請求項２１】
前記ソースは、ＭＡＣプロトコルデータユニット（ＭＰＤＵ）ヘッダ、または前記サブフレームの前に受信された先行ＭＳＤＵのうちの少なくとも１つを備える、請求項１７に記載の装置。
【請求項２２】
前記生成するための手段は、
ＳＡが、前記ＭＰＤＵヘッダ中の送信機アドレス（ＴＡ）から決定されること、または
ＤＡが、前記ＭＰＤＵヘッダ中の受信機アドレス（ＲＡ）から決定されること、
のうちの少なくとも１つを前記第１のフィールドを介して示すように構成されている、請求項２１に記載の装置。
【請求項２３】
前記第１のフィールドは、
前記サブフレーム中に前記ＳＡが存在することを示す１つまたは複数のビットを有するＳＡプレゼントフィールド、または
前記サブフレーム中に前記ＤＡが存在することを示す１つまたは複数のビットを有するＤＡプレゼントフィールド、
のうちの少なくとも１つを備える、請求項１７に記載の装置。
【請求項２４】
前記ＳＡプレゼントフィールドは、前記ＳＡが前記サブフレームには無い場合、前記ＳＡが、前記他方の装置へ送信されたＭＡＣプロトコルデータユニット（ＭＰＤＵ）ヘッダ、前記サブフレームの前に送信された先行ＭＳＤＵ、または前記他方の装置に記憶された値のうちの少なくとも１つから推定されることを示す、請求項２３に記載の装置。
【請求項２５】
前記ＤＡプレゼントフィールドは、前記ＤＡが前記サブフレームには無い場合、前記ＤＡが、前記他方の装置へ送信されたＭＡＣプロトコルデータユニット（ＭＰＤＵ）ヘッダ、前記サブフレームの前に送信された先行ＭＳＤＵ、または前記他方の装置に記憶された値のうちの少なくとも１つから推定されることを示す、請求項２３に記載の装置。
【請求項２６】
フレームアグリゲーションを用いて送られたデータユニットのサブフレームを、他方の装置から、受信するための手段と、前記サブフレームは、前記サブフレーム中のソースアドレス（ＳＡ）またはデスティネーションアドレス（ＤＡ）のうちの少なくとも１つの有無を示す第１のフィールドを備え、
前記第１のフィールド中の１つまたは複数のビットに基づいて前記データユニットのために前記ＳＡおよびＤＡのうちの少なくとも１つの前記有無を決定するための手段と、
前記ＳＡまたはＤＡのうちの前記少なくとも１つが前記サブフレームには無いときで、かつ、前記ＳＡまたはＤＡのうちの前記少なくとも１つが前記装置に記憶されていないときに、前記第１のフィールド中の１つまたは複数のビットに基づいて、前記データユニットのヘッダ中のソースから前記ＳＡまたはＤＡのうちの前記少なくとも１つを推定するための手段と、
を備えたワイヤレス通信のための装置。
【請求項２７】
前記第１のフィールドのシングルビットは、
前記サブフレーム中に前記ＳＡとＤＡの両方が存在すること、または
前記サブフレームには前記ＳＡとＤＡの両方が無いこと、
のいずれかを示す、請求項２６に記載の装置。
【請求項２８】
前記ソースは、ＭＡＣプロトコルデータユニット（ＭＰＤＵ）ヘッダ、または前記サブフレームの前に受信された先行ＭＳＤＵのうちの少なくとも１つを備える、請求項２６に記載の装置。
【請求項２９】
前記推定するための手段は、
前記ＭＰＤＵヘッダ中の送信機アドレス（ＴＡ）からＳＡ、または
前記ＭＰＤＵヘッダ中の受信機アドレス（ＲＡ）からＤＡ
のうちの少なくとも１つを推定するように構成されている、請求項２８に記載の装置。
【請求項３０】
前記推定するための手段は、
前記サブフレーム中にＳＡが存在することを示す１つまたは複数のビットを有する前記サブフレーム中のＳＡプレゼントフィールドに基づいて前記ＳＡ、または、
前記サブフレーム中にＤＡが存在することを示す１つまたは複数のビットを有する前記サブフレーム中のＤＡプレゼントフィールドに基づいて前記ＤＡ
のうちの少なくとも１つを推定し、
前記第１のフィールドは、前記ＳＡプレゼントフィールド、または、前記ＤＡプレゼントフィールド、のうちの少なくとも１つを備える、請求項２６に記載の装置。
【請求項３１】
前記ＳＡプレゼントフィールドは、前記ＳＡが前記サブフレームには無い場合、前記ＳＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、請求項３０に記載の装置。
【請求項３２】
前記ＤＡプレゼントフィールドは、前記ＤＡが前記サブフレームには無い場合、前記ＤＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、請求項３０に記載の装置。
【請求項３３】
装置によるワイヤレス通信のための方法であって、
データユニットのサブフレームを生成することと、前記サブフレームは、前記サブフレーム中のソースアドレス（ＳＡ）またはデスティネーションアドレス（ＤＡ）のうちの少なくとも１つの有無を示す第１のフィールドを備え、
フレームアグリゲーションを用いて、他方の装置へ前記サブフレームを送信することと、
前記ＳＡまたはＤＡのうちの少なくとも１つが前記サブフレームには無いときで、かつ、前記少なくとも１つのＳＡまたはＤＡが前記他方の装置に記憶されていないときに、前記ＳＡまたはＤＡのうちの前記少なくとも１つが前記データユニットのヘッダ中のソースから推定されることを、前記第１のフィールドを介して前記他方の装置に示すことと、
を備える方法。
【請求項３４】
前記第１のフィールドは、前記サブフレーム中のＭａｃサービスデータユニット（ＭＳＤＵ）の長さを示す第２のフィールドの前で前記サブフレーム中に位置する、請求項３３に記載の方法。
【請求項３５】
前記第１のフィールドは、前記サブフレーム中に存在する場合、前記ＳＡまたはＤＡのうちの少なくとも１つの位置の前で前記サブフレーム中に位置する、請求項３３に記載の方法。
【請求項３６】
前記第１のフィールドのシングルビットは、
前記サブフレーム中に前記ＳＡとＤＡの両方が存在すること、または
前記サブフレームには前記ＳＡとＤＡの両方が無いこと
のいずれかを示す、請求項３３に記載の方法。
【請求項３７】
前記ソースは、ＭＡＣプロトコルデータユニット（ＭＰＤＵ）ヘッダ、または前記サブフレームの前に受信された先行ＭＳＤＵのうちの少なくとも１つを備える、請求項３３に記載の方法。
【請求項３８】
前記生成することは、
ＳＡが、前記ＭＰＤＵヘッダ中の送信機アドレス（ＴＡ）から決定されること、または
ＤＡが、前記ＭＰＤＵヘッダ中の受信機アドレス（ＲＡ）から決定されること、
のうちの少なくとも１つを前記第１のフィールドを介して示すことを備える、請求項３７に記載の方法。
【請求項３９】
前記第１のフィールドは、
前記サブフレーム中に前記ＳＡが存在することを示す１つまたは複数のビットを有するＳＡプレゼントフィールド、または、
前記サブフレーム中に前記ＤＡが存在することを示す１つまたは複数のビットを有するＤＡプレゼントフィールド、
のうちの少なくとも１つを備える、請求項３３に記載の方法。
【請求項４０】
前記ＳＡプレゼントフィールドは、前記ＳＡが前記サブフレームには無い場合、前記ＳＡが、前記他方の装置へ送信されたＭＡＣプロトコルデータユニット（ＭＰＤＵ）ヘッダ、前記サブフレームの前に送信された先行ＭＳＤＵ、または前記他方の装置に記憶された値のうちの少なくとも１つから推定されることを示す、請求項３９に記載の方法。
【請求項４１】
前記ＤＡプレゼントフィールドは、前記ＤＡが前記サブフレームには無い場合、前記ＤＡが、前記他方の装置へ送信されたＭＡＣプロトコルデータユニット（ＭＰＤＵ）ヘッダ、前記サブフレームの前に送信された先行ＭＳＤＵ、または前記他方の装置に記憶された値のうちの少なくとも１つから推定されることを示す、請求項４０に記載の方法。
【請求項４２】
ワイヤレス通信のための方法であって、
フレームアグリゲーションを用いて送られたデータユニットのサブフレームを、他方の装置から、受信することと、前記サブフレームは、前記サブフレーム中のソースアドレス（ＳＡ）またはデスティネーションアドレス（ＤＡ）のうちの少なくとも１つの有無を示す第１のフィールドを備え、
前記第１のフィールド中の１つまたは複数のビットに基づいて前記データユニットのために前記ＳＡおよびＤＡのうちの少なくとも１つの前記有無を決定することと、
前記ＳＡまたはＤＡのうちの少なくとも１つが前記サブフレームには無いときで、かつ、前記ＳＡまたはＤＡのうちの少なくとも１つが前記装置に記憶されていないときに、前記第１のフィールド中の１つまたは複数のビットに基づいて、前記データユニットのヘッダ中のソースから前記少なくとも１つのＳＡまたはＤＡを推定することと、
を備える方法。
【請求項４３】
前記第１のフィールドのシングルビットは、
前記サブフレーム中に前記ＳＡとＤＡの両方が存在すること、または
前記サブフレームには前記ＳＡとＤＡの両方が無いこと、
のいずれかを示す、請求項４２に記載の方法。
【請求項４４】
前記ソースは、ＭＡＣプロトコルデータユニット（ＭＰＤＵ）ヘッダ、または前記サブフレームの前に受信された先行ＭＳＤＵのうちの少なくとも１つを備える、請求項４２に記載の方法。
【請求項４５】
前記推定することは、
前記ＭＰＤＵヘッダ中の送信機アドレス（ＴＡ）からＳＡ、または
前記ＭＰＤＵヘッダ中の受信機アドレス（ＲＡ）からＤＡ
のうちの少なくとも１つを推定することを備える、請求項４４に記載の方法。
【請求項４６】
前記推定することは、
前記サブフレーム中にＳＡが存在することを示す１つまたは複数のビットを有する前記サブフレーム中のＳＡプレゼントフィールドに基づいて前記ＳＡ、または、
前記サブフレーム中にＤＡが存在することを示す１つまたは複数のビットを有する前記サブフレーム中のＤＡプレゼントフィールドに基づいて前記ＤＡ
のうちの少なくとも１つを推定することを備え、
前記第１のフィールドは、前記ＳＡプレゼントフィールド、または、前記ＤＡプレゼントフィールド、のうちの少なくとも１つを備える、請求項４２に記載の方法。
【請求項４７】
前記ＳＡプレゼントフィールドは、前記ＳＡが前記サブフレームには無い場合、前記ＳＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、請求項４６に記載の方法。
【請求項４８】
前記ＤＡプレゼントフィールドは、前記ＤＡが前記サブフレームには無い場合、前記ＤＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、請求項４６に記載の方法。
【請求項４９】
少なくとも１つのアンテナと、
データユニットのサブフレームを生成するように構成された処理システムと、前記サブフレームは、前記サブフレーム中のソースアドレス（ＳＡ）またはデスティネーションアドレス（ＤＡ）のうちの少なくとも１つの有無を示す第１のフィールドを備え、
フレームアグリゲーションを用いて、他方の局へ前記サブフレームを前記少なくとも１つのアンテナを介して送信するように構成された送信機と、ここにおいて、前記処理システムは、前記ＳＡまたはＤＡのうちの少なくとも１つが前記サブフレームには無いときで、かつ、前記少なくとも１つのＳＡまたはＤＡが前記他方の装置に記憶されていないときに、前記ＳＡまたはＤＡのうちの前記少なくとも１つが前記データユニットのヘッダ中のソースから推定されることを、前記第１のフィールドを介して前記他方の装置に示すように構成されている、
を備えた局。
【請求項５０】
少なくとも１つのアンテナと、
フレームアグリゲーションを用いて送られたデータユニットのサブフレームを、他方の装置からおよび前記少なくとも１つのアンテナを介して受信するように構成された受信機と、前記サブフレームは、前記サブフレーム中のソースアドレス（ＳＡ）またはデスティネーションアドレス（ＤＡ）のうちの少なくとも１つの有無を示す第１のフィールドを備え、
前記第１のフィールド中の１つまたは複数のビットに基づいて前記データユニットのために前記ＳＡおよびＤＡのうちの少なくとも１つの前記有無を決定することと、
前記ＳＡまたはＤＡのうちの前記少なくとも１つが前記サブフレームには無いときで、かつ、前記ＳＡまたはＤＡのうちの前記少なくとも１つが前記装置に記憶されていないときに、前記第１のフィールド中の１つまたは複数のビットに基づいて、前記データユニットのヘッダ中のソースから前記ＳＡまたはＤＡのうちの前記少なくとも１つを推定することと、
を行うように構成された処理システムと、
を備えた局。
【請求項５１】
装置によるワイヤレス通信のための一時的でないコンピュータ可読媒体であって、
データユニットのサブフレームを生成し、前記サブフレームは、前記サブフレーム中のソースアドレス（ＳＡ）またはデスティネーションアドレス（ＤＡ）のうちの少なくとも１つの有無を示す第１のフィールドを備え、
フレームアグリゲーションを用いて、他方の装置へ前記サブフレームを送信し、
前記ＳＡまたはＤＡのうちの少なくとも１つが前記サブフレームには無いときで、かつ、前記少なくとも１つのＳＡまたはＤＡが前記他方の装置に記憶されていないときに、前記ＳＡまたはＤＡのうちの前記少なくとも１つが前記データユニットのヘッダ中のソースから推定されることを、前記第１のフィールドを介して前記他方の装置に示す
ために命令を記憶した一時的でないコンピュータ可読媒体。
【請求項５２】
装置によるワイヤレス通信のための一時的でないコンピュータ可読媒体であって、
フレームアグリゲーションを用いて送られたデータユニットのサブフレームを、他方の装置から、受信し、前記サブフレームは、前記サブフレーム中のソースアドレス（ＳＡ）またはデスティネーションアドレス（ＤＡ）のうちの少なくとも１つの有無を示す第１のフィールドを備え、
前記第１のフィールド中の１つまたは複数のビットに基づいて前記データユニットのために前記ＳＡおよびＤＡのうちの少なくとも１つの前記有無を決定し、
前記ＳＡまたはＤＡのうちの少なくとも１つが前記サブフレームには無いときで、かつ、前記ＳＡまたはＤＡのうちの少なくとも１つが前記装置に記憶されていないときに、前記第１のフィールド中の１つまたは複数のビットに基づいて、前記データユニットのヘッダ中のソースから前記少なくとも１つのＳＡまたはＤＡを推定する
ために命令を記憶した一時的でないコンピュータ可読媒体。 
【発明の詳細な説明】
【優先権の主張】
【０００１】
関連出願の相互参照
特許のための本出願は、本出願の譲受人に譲渡され、その全体が参照によりここに明確に本明細書に組み込まれる、２０１３年３月１４日に出願した米国仮出願第６１／７８１，８１９号の優先権を主張する。
【技術分野】
【０００２】
本開示いくつかの態様は、概して、ワイヤレス通信に関し、より詳細には、サブフレームのフォーマットを示すための技法に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワークおよびシングルキャリアＦＤＭＡ（ＳＣ−ＦＤＭＡ）ネットワークを含む。
【０００４】
[0004]より大きなカバレージおよびより広い通信範囲に対する要望に対処するために、様々な方式が開発されている。１つのそのような方式は、米国電気電子技術者協会（ＩＥＥＥ）８０２．１１ａｈタスクフォースにより開発されている、サブ１ＧＨｚ周波数帯域（たとえば、米国では９０２〜９２８ＭＨｚで運用している）である。この開発は、他のＩＥＥＥ８０２．１１グループよりもワイヤレス範囲が広く障害物による損失が小さい周波数帯域を利用することに対する要望により、推進されている。
【発明の概要】
【０００５】
[0005]本開示のいくつかの態様は、ワイヤレス通信のための装置を提供する。装置は一般に、データユニットのサブフレームを生成するように構成された処理システムと、サブフレームは、サブフレーム中のソースアドレス（ＳＡ）またはデスティネーションアドレス（ＤＡ）のうちの少なくとも１つの有無を示す第１のフィールドを備え、フレームアグリゲーションを用いてデータユニット中で受信局へサブフレームを送信するように構成された送信機とを含む。
【０００６】
[0006]本開示のいくつかの態様は、ワイヤレス通信のための装置を提供する。装置は一般に、フレームアグリゲーションを用いて送られたデータユニットのサブフレームを受信するように構成された受信機と、サブフレームは、サブフレーム中のソースアドレス（ＳＡ）またはデスティネーションアドレス（ＤＡ）のうちの少なくとも１つの有無を示す第１のフィールドを備え、第１のフィールド中の１つまたは複数のビットに基づいてデータユニットのためにＳＡおよびＤＡのうちの少なくとも１つを決定するように構成された処理システムとを備える。
【０００７】
[0007]本開示のいくつかの態様は、ワイヤレス通信のための装置を提供する。装置は一般に、データユニットのサブフレームを生成するための手段と、サブフレームは、サブフレーム中のソースアドレス（ＳＡ）またはデスティネーションアドレス（ＤＡ）のうちの少なくとも１つの有無を示す第１のフィールドを備え、フレームアグリゲーションを用いてデータユニット内の受信局へサブフレームを送信するための手段とを備える。
【０００８】
[0008]本開示のいくつかの態様は、ワイヤレス通信のための装置を提供する。装置は一般に、フレームアグリゲーションを用いて送られたデータユニットのサブフレームを受信するための手段と、サブフレームは、サブフレーム中のソースアドレス（ＳＡ）またはデスティネーションアドレス（ＤＡ）のうちの少なくとも１つの有無を示す第１のフィールドを備え、第１のフィールド中の１つまたは複数のビットに基づいてデータユニットのためにＳＡおよびＤＡのうちの少なくとも１つを決定するための手段とを備える。
【０００９】
[0009]本開示のいくつかの態様は、装置によるワイヤレス通信のための方法を提供する。方法は一般に、データユニットのサブフレームを生成することと、サブフレームは、サブフレーム中のソースアドレス（ＳＡ）またはデスティネーションアドレス（ＤＡ）のうちの少なくとも１つの有無を示す第１のフィールドを備え、フレームアグリゲーションを用いてデータユニット中で受信局へサブフレームを送信することとを含む。
【００１０】
[0010]本開示のいくつかの態様は、装置によるワイヤレス通信のための方法を提供する。方法は一般に、フレームアグリゲーションを用いて送られたデータユニットのサブフレームを受信することと、サブフレームは、サブフレーム中のソースアドレス（ＳＡ）またはデスティネーションアドレス（ＤＡ）のうちの少なくとも１つの有無を示す第１のフィールドを備え、第１のフィールド中の１つまたは複数のビットに基づいてデータユニットのためにＳＡおよびＤＡのうちの少なくとも１つを決定することとを含む。
【００１１】
[0011]本開示のいくつかの態様は、命令を記憶したコンピュータ可読媒体を備えた装置によるワイヤレス通信のためのコンピュータプログラム製品を提供する。命令は、概して、データユニットのサブフレームを生成することと、サブフレームは、サブフレーム中のソースアドレス（ＳＡ）またはデスティネーションアドレス（ＤＡ）のうちの少なくとも１つの有無を示す第１のフィールドを備え、フレームアグリゲーションを用いてデータユニット中で受信局へサブフレームを送信することとを、１つまたは複数のプロセッサによって実行可能である。
【００１２】
[0012]本開示のいくつかの態様は、命令を記憶したコンピュータ可読媒体を備えた装置によるワイヤレス通信のためのコンピュータプログラム製品を提供する。命令は概して、フレームアグリゲーションを用いて送られたデータユニットのサブフレームを受信することと、サブフレームは、サブフレーム中のソースアドレス（ＳＡ）またはデスティネーションアドレス（ＤＡ）のうちの少なくとも１つの有無を示す第１のフィールドを備え、第１のフィールド中の１つまたは複数のビットに基づいてデータユニットのためにＳＡおよびＤＡのうちの少なくとも１つを決定することと、を１つまたは複数のプロセッサによって実行可能である。
【００１３】
[0013]本開示のいくつかの態様は、局を提供する。局は一般に、少なくとも１つのアンテナと、フレームアグリゲーションを用いて送られたデータユニットのサブフレームを少なくとも１つのアンテナを介して受信するように構成された受信機と、サブフレームは、サブフレーム中のソースアドレス（ＳＡ）またはデスティネーションアドレス（ＤＡ）のうちの少なくとも１つの有無を示す第１のフィールドを備え、第１のフィールド中の１つまたは複数のビットに基づいてデータユニットのためにＳＡおよびＤＡのうちの少なくとも１つを決定するように構成された処理システムとを備える。
【００１４】
[0014]本開示のいくつかの態様は、局を提供する。局は一般に、少なくとも１つのアンテナと、データユニットのサブフレームを生成するように構成された処理システムと、サブフレームは、サブフレーム中のソースアドレス（ＳＡ）またはデスティネーションアドレス（ＤＡ）のうちの少なくとも１つの有無を示す第１のフィールドを備え、フレームアグリゲーションを用いてデータユニット中で別の局へサブフレームを少なくとも１つのアンテナを介して送信するように構成された送信機とを備える。
【００１５】
[0015]本開示の上述の特徴を詳細に理解することができるように、添付の図面にその一部を示す態様を参照することによって、上記で簡単に要約したより具体的な説明を得ることができる。しかし、添付の図面は、本開示の特定の典型的な態様のみを示し、したがって、本開示の範囲の限定とみなされてはならず、その理由は、この説明が他の同等の効果のある態様をもたらし得るからであることに留意されたい。
【図面の簡単な説明】
【００１６】
【図１】本開示のいくつかの態様による例示的なワイヤレス通信ネットワークの図を示す図。
【図２】本開示のいくつかの態様による、例示的アクセスポイントとユーザ端末とのブロック図を示す図。
【図３】本開示の特定の態様による例示的ワイヤレスデバイスのブロック図を示す図。
【図４】本開示のいくつかの態様による、例示的アドレス型フィールド定義を示す図。
【図５】本開示のいくつかの態様による、例示的な推定されたソースおよびデスティネーションアドレスソースを示す図。
【図６】本開示のいくつかの態様による、例示的ソースアドレスプレゼントフィールド定義を示す図。
【図７】本開示のいくつかの態様による、例示的デスティネーションアドレスプレゼントフィールド定義を示す図。
【図８】本開示のいくつかの態様による、例示的アドレス型フィールド値定義を示す図。
【図９】本開示のいくつかの態様による、例示的アドレス型フィールド値定義を示す図。
【図１０】本開示のいくつかの態様による、例示的アドレス型フィールド値定義を示す図。
【図１１】本開示のいくつかの態様による、例示的アドレス型フィールド値定義を示す図。
【図１２】本開示のいくつかの態様による、受信側によるワイヤレス通信のための例示的動作を示す図。
【図１２Ａ】図１２に示す動作を実施することが可能な例示的手段を示す図。
【図１３】本開示のいくつかの態様による、送信機によるワイヤレス通信のための例示的動作のブロック図。
【図１３Ａ】図１３に示す動作を実施することが可能な例示的手段を示す図。
【発明を実施するための形態】
【００１７】
[0028]添付の図面を参照しながら本開示の様々な態様について以下でより十分に説明する。ただし、本開示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わせて実装されるにせよ、本明細書で開示する本開示のいかなる態様をもカバーするものであることを、当業者なら諒解されたい。たとえば、本明細書に記載の態様をいくつ使用しても、装置を実装し得、または方法を実施し得る。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示する本開示の任意の態様が請求項の１つまたは複数の要素によって実施できることを理解されたい。
【００１８】
[0029]本明細書では特定の態様について説明するが、これらの態様の多くの変形体および置換は本開示の範囲内に入る。好ましい態様のいくつかの利益および利点について説明するが、本開示の範囲は特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図および好ましい態様についての以下の説明で示す。発明を実施するための形態および図面は、限定的なものではなく本開示を説明するものにすぎず、本開示の範囲は添付の特許請求の範囲およびその均等物によって規定される。
【００１９】
例  ワイヤレス通信システム
[0030]本明細書で説明する技法は、直交多重化方式に基づく通信システムを含む様々なブロードバンドワイヤレス通信システムに使用され得る。そのような通信システムの例には、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、十分に異なる方向を使用して、複数のユーザ端末に属すデータを同時に送信するために利用できる。ＴＤＭＡシステムは、複数のユーザ端末が、送信信号を異なるタイムスロットに分割することによって、同じ周波数チャネルを共有することを可能にすることができ、各タイムスロットは、異なるユーザ端末に割り当てられる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ぶこともできる。ＯＦＤＭでは、各サブキャリアはデータで独立して変調できる。ＳＣ−ＦＤＭＡシステムは、システム帯域幅にわたって分散されたサブキャリア上で送信するためのインターリーブされたＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。一般に、変調シンボルは、ＯＦＤＭでは周波数領域で、ＳＣ−ＦＤＭＡでは時間領域で送られる。
【００２０】
[0031]本明細書の教示は、様々なワイヤードまたはワイヤレス装置（たとえば、ノード）に組み込まれ得る（たとえば、その装置内に実装され、またはその装置によって実行され得る）。いくつかの態様では、本明細書の教示に従って実装されるワイヤレスノードはアクセスポイントまたはアクセス端末を備え得る。
【００２１】
[0032]アクセスポイント（「ＡＰ」）は、ノードＢ、無線ネットワークコントローラ（「ＲＮＣ」）、ｅｖｏｌｖｅｄノードＢ（ｅＮＢ）、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００２２】
[0033]アクセス端末（「ＡＴ」）は、加入者局、加入者ユニット、移動局（ＭＳ）、リモート局、リモート端末、ユーザ端末（ＵＴ）、ユーザエージェント、ユーザデバイス、ユーザ機器（ＵＥ）、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、タブレット、ポータブル通信デバイス、ポータブルコンピューティングデバイス（たとえば、個人情報端末）、娯楽デバイス（たとえば、音楽またはビデオデバイス、あるいは衛星ラジオ）、全地球測位システム（ＧＰＳ）デバイス、あるいはワイヤレスまたはワイヤード媒体を介して通信するように構成された他の好適なデバイスに組み込まれ得る。いくつかの態様では、ノードはワイヤレスノードである。たとえば、そのようなワイヤレスノードは、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２３】
[0034]図１に、アクセスポイントとユーザ端末とをもつ多元接続多入力多出力（ＭＩＭＯ）システム１００を示す。簡単のために、図１にはただ１つのアクセスポイント１１０を示してある。アクセスポイントは、一般に、ユーザ端末と通信する固定局であり、基地局または何らかの他の用語で呼ばれることもある。ユーザ端末は、固定でもモバイルでもよく、移動局、ワイヤレスデバイスまたは何らかの他の用語で呼ばれることもある。アクセスポイント１１０は、ダウンリンクおよびアップリンク上で所与の瞬間において１つまたは複数のユーザ端末１２０と通信することができる。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアに通信することができる。システムコントローラ１３０は、アクセスポイントに結合し、アクセスポイントの調整および制御を行う。
【００２４】
[0035]以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含むことができる。したがって、そのような態様では、ＡＰ１１０は、ＳＤＭＡユーザ端末と非ＳＤＭＡユーザ端末の両方と通信するように構成できる。この手法は、より新しいＳＤＭＡユーザ端末が適宜に導入されることを可能にしながら、より古いバージョンのユーザ端末（「レガシー」局）が企業に配備されたままであることを都合よく可能にして、それらの有効寿命を延長することができる。
【００２５】
[0036]システム１００は、ダウンリンクおよびアップリンク上でのデータ送信のために複数の送信アンテナおよび複数の受信アンテナを採用する。アクセスポイント１１０は、Ｎap個のアンテナを備え、ダウンリンク送信では多入力（ＭＩ）を表し、アップリンク送信では多出力（ＭＯ）を表す。Ｋ個の選択されたユーザ端末１２０のセットは、ダウンリンク送信では多出力を集合的に表し、アップリンク送信では多入力を集合的に表す。純粋なＳＤＭＡの場合、Ｋ個のユーザ端末のためのデータシンボルストリームが、何らかの手段によって、コード、周波数、または時間で多重化されない場合、Ｎap≧Ｋ≧１であることが望まれる。ＴＤＭＡ技法、ＣＤＭＡを用いた様々なコードチャネル、ＯＦＤＭを用いたサブバンドの独立セットなどを使用してデータシンボルストリームを多重化することができる場合、ＫはＮapよりも大きくすることができる。各選択されたユーザ端末は、ユーザ固有のデータをアクセスポイントに送信し、および／またはアクセスポイントからユーザ固有のデータを受信する。一般に、各選択されたユーザ端末は、１つまたは複数のアンテナを備えることができる（すなわち、Ｎut≧１）。Ｋ個の選択されたユーザ端末は、同じまたは異なる数のアンテナを有することができる。
【００２６】
[0037]ＳＤＭＡシステムは時分割複信（ＴＤＤ）システムまたは周波数分割複信（ＦＤＤ）システムとすることができる。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、送信のために単一のキャリアまたは複数のキャリアを利用することができる。各ユーザ端末は、（たとえば、コストを抑えるために）単一のアンテナを備えることができ、または（たとえば、追加費用をサポートすることができる場合）複数のアンテナを備えることができる。ユーザ端末１２０が、送信／受信を異なるタイムスロットに分割することによって、同じ周波数チャネルを共有する場合、システム１００は、ＴＤＭＡシステムであってもよく、各タイムスロットは、異なるユーザ端末１２０に割り当てられる。
【００２７】
[0038]図２に、ＭＩＭＯシステム１００におけるアクセスポイント１１０と２つのユーザ端末１２０ｍおよび１２０ｘとのブロック図を示す。アクセスポイント１１０は、Ｎt個のアンテナ２２４ａ〜２２４ｔを備える。ユーザ端末１２０ｍは、Ｎut,m個のアンテナ２５２ｍａ〜２５２ｍｕを備え、ユーザ端末１２０ｘは、Ｎut,x個のアンテナ２５２ｘａ〜２５２ｘｕを備える。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、上付き文字「ｕｐ」はアップリンクを示し、Ｎup個のユーザ端末がアップリンク上での同時送信のために選択され、Ｎdn個のユーザ端末がダウンリンク上での同時送信のために選択され、Ｎupは、Ｎdnに等しいことも等しくないこともあり、ＮupとＮdnとは、静的な値であるかまたはスケジュール間隔ごとに変化することができる。アクセスポイントおよびユーザ端末においてビームステアリングまたは何らかの他の空間処理技法が使用できる。
【００２８】
[0039]アップリンク上では、アップリンク送信のために選択された各ユーザ端末１２０において、送信（ＴＸ）データプロセッサ２８８は、データソース２８６からトラフィックデータを受信し、コントローラ２８０から制御データを受信する。ＴＸデータプロセッサ２８８は、ユーザ端末のための選択されたレートに関連するコーディングおよび変調方式に基づいて、ユーザ端末のためのトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに与える。各送信機ユニット（ＴＭＴＲ）２５４は、アップリンク信号を発生するために、それぞれの送信シンボルストリームを受信し、処理（たとえば、アナログ変換、増幅、フィルタ処理、および周波数アップコンバート）する。Ｎut,m個の送信機ユニット２５４は、Ｎut,m個のアンテナ２５２からアクセスポイントへの送信用に、Ｎut,m個のアップリンク信号を与える。
【００２９】
[0040]アップリンク上での同時送信のためにＮup個のユーザ端末がスケジュールできる。これらのユーザ端末の各々は、そのデータシンボルストリームに対して空間処理を実行し、アップリンク上で送信シンボルストリームのそのセットをアクセスポイントに送信する。
【００３０】
[0041]アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信信号をそれぞれの受信機ユニット（ＲＣＶＲ）２２２に与える。各受信機ユニット２２２は、送信機ユニット２５４によって実行された処理を補足する処理を実行し、受信シンボルストリームを与える。ＲＸ空間プロセッサ２４０は、Ｎap個の受信機ユニット２２２からのＮap個の受信シンボルストリームに対して受信機空間処理を実行し、Ｎup個の復元されたアップリンクデータシンボルストリームを与える。受信機空間処理は、チャネル相関行列反転（ＣＣＭＩ）、最小平均２乗誤差（ＭＭＳＥ）、ソフト干渉消去（ＳＩＣ）、または何らかの他の技法に従って実行される。各復元されたアップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元されたアップリンクデータシンボルストリームを処理（たとえば、復調、デインターリーブ、および復号）する。各ユーザ端末の復号データは、記憶のためにデータシンク２４４に与えられ、および／またはさらなる処理のためにコントローラ２３０に与えられる。
【００３１】
[0042]ダウンリンク上では、アクセスポイント１１０において、ＴＸデータプロセッサ２１０は、ダウンリンク送信のためにスケジュールされたＮdn個のユーザ端末のためのデータソース２０８からトラフィックデータを受信し、コントローラ２３０から制御データを受信し、場合によってはスケジューラ２３４から他のデータを受信する。様々なタイプのデータは様々なトランスポートチャネル上で送られる。ＴＸデータプロセッサ２１０は、そのユーザ端末のために選択されたレートに基づいて各ユーザ端末のトラフィックデータを処理（たとえば、符号化、インターリーブ、変調）する。ＴＸデータプロセッサ２１０は、Ｎdn個のダウンリンクデータシンボルストリームをＮdn個のユーザ端末に与える。ＴＸ空間プロセッサ２２０は、Ｎdn個のダウンリンクデータシンボルストリームに対して空間処理（本開示に記載するプリコーディングまたはビームフォーミングなど）を実施し、Ｎap個のアンテナにＮap個の送信シンボルストリームを与える。各送信機ユニット２２２は、ダウンリンク信号を発生するために、それぞれの送信シンボルストリームを受信し、処理する。Ｎap個のアンテナ２２４からユーザ端末への送信用に、Ｎap個のダウンリンク信号を与えるＮap個の送信機ユニット２２２。
【００３２】
[0043]各ユーザ端末１２０において、Ｎut,m個のアンテナ２５２は、アクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実行し、復元されたダウンリンクデータシンボルストリームをユーザ端末に与える。受信機空間処理は、ＣＣＭＩ、ＭＭＳＥまたは何らかの他の技法に従って実行される。ＲＸデータプロセッサ２７０は、ユーザ端末のための復号データを得るために、復元されたダウンリンクデータシンボルストリームを処理（たとえば、復調、デインターリーブ、および復号）する。
【００３３】
[0044]各ユーザ端末１２０において、チャネル推定器２７８は、ダウンリンクチャネル応答を推定し、チャネル利得推定値、ＳＮＲ推定値、ノイズ分散などを含み得るダウンリンクチャネル推定値を与える。同様に、チャネル推定器２２８は、アップリンクチャネル応答を推定し、アップリンクチャネル推定値を与える。各ユーザ端末用のコントローラ２８０は通常、ユーザ端末についての空間フィルタ行列を、そのユーザ端末についてのダウンリンクチャネル応答行列Ｈdn,mに基づいて導出する。コントローラ２３０は、アクセスポイントについての空間フィルタ行列を、実効アップリンクチャネル応答行列Ｈup,effに基づいて導出する。各ユーザ端末用のコントローラ２８０は、フィードバック情報（たとえば、ダウンリンクおよび／またはアップリンク固有ベクトル、固有値、ＳＮＲ推定値など）をアクセスポイントに送ることができる。コントローラ２３０および２８０は、それぞれ、アクセスポイント１１０とユーザ端末１２０とにおける様々な処理ユニットの動作も制御する。
【００３４】
[0045]図３に、ＭＩＭＯシステム１００内で採用され得るワイヤレスデバイス３０２において利用され得る様々な構成要素を示す。ワイヤレスデバイス３０２は、本明細書で説明する様々な方法を実装するように構成できるデバイスの一例である。ワイヤレスデバイス３０２はアクセスポイント１１０またはユーザ端末１２０であり得る。
【００３５】
[0046]ワイヤレスデバイス３０２は、ワイヤレスデバイス３０２の動作を制御するプロセッサ３０４を含むことができる。プロセッサ３０４は中央処理装置（ＣＰＵ）と呼ばれることもある。読取り専用メモリ（ＲＯＭ）とランダムアクセスメモリ（ＲＡＭ）の両方を含むことができるメモリ３０６は、命令とデータとをプロセッサ３０４に与える。メモリ３０６の一部は不揮発性ランダムアクセスメモリ（ＮＶＲＡＭ）をも含むことができる。プロセッサ３０４は一般に、メモリ３０６内に記憶されたプログラム命令に基づいて、論理および演算動作を実行する。メモリ３０６中の命令は、本明細書で説明する方法を実装するために実行可能である。
【００３６】
[0047]ワイヤレスデバイス３０２は、ワイヤレスデバイス３０２と遠隔地との間のデータの送信および受信を可能にするために送信機３１０と受信機３１２とを含むことができるハウジング３０８を含むこともできる。送信機３１０と受信機３１２とを組み合わせてトランシーバ３１４を形成することができる。単一または複数の送信アンテナ３１６は、ハウジング３０８に取り付けられ、トランシーバ３１４に電気的に結合され得る。ワイヤレスデバイス３０２は、複数の送信機と、複数の受信機と、複数のトランシーバとをも含むことができる（図示せず）。
【００３７】
[0048]ワイヤレスデバイス３０２は、トランシーバ３１４によって受信された信号のレベルを検出および定量化するために使用できる信号検出器３１８をも含むことができる。信号検出器３１８は、総エネルギー、シンボルごとのサブキャリア当たりのエネルギー、電力スペクトル密度および他の信号などの信号を検出し得る。ワイヤレスデバイス３０２はまた、信号を処理する際に使用するためのデジタル信号プロセッサ（ＤＳＰ）３２０を含み得る。
【００３８】
[0049]ワイヤレスデバイス３０２の様々な構成要素は、データバスに加えて、電力バスと、制御信号バスと、ステータス信号バスとを含み得るバスシステム３２２によって互いに結合され得る。
【００３９】
例  Ａ−ＭＳＤＵサブフレームフォーマット・インジケーションフィールド
[0050]本開示の態様は、フレームアグリゲーションを用いてデータユニットを効率的に送信するために用いられ得る技法を提供する。本明細書で提示する技法は、ソースおよびデスティネーションアドレスを伝えるために使用されるオーバーヘッドの量を減少させるのを助け得る。以下でより詳細に説明されるように、ソースアドレスおよび／またはデスティネーションアドレスは、データユニットそれ自体のサブフレーム中で送信されるのではなく、他のソースから推定され得る。
【００４０】
[0051]結果として、そのような態様は、従来のアグリゲートＭＡＣサービスデータユニット（Ａ−ＭＳＤＵ）サブフレームフォーマットが２つの完全なソースとデスティネーションＭＡＣアドレスとを含む（８０２．１１などの）システムにおいてよくある問題に対処するのを助け得る。本開示の態様は、これらのアドレスが他のソースから（受信側によって）推定され得る場合には、これらのアドレスのうちの一方または両方を省くことによってオーバーヘッドを減少させる。
【００４１】
[0052]いくつかのケースでは、本開示の態様は、Ａ−ＭＳＤＵサブフレーム中の長さフィールドのサイズを減少させ、どのアドレスがＡ−ＭＳＤＵサブフレーム中に含まれるのかを指定する（アドレシング型フィールドと本明細書中で呼ばれる）フィールドを追加するのを助け得る。言い換えれば、アドレシング型（ＡＴ）フィールドは、ソースアドレス（ＳＡ）および／またはデスティネーションアドレス（ＤＡ）の有無を示すことができる。いくつかのケースでは、サブフレームフォーマットの早期検出を容易にするために、ＡＴおよび長さ（Ｌｅｎ）フィールドも、Ａ−ＭＳＤＵサブフレームの始めに移動させられる。
【００４２】
[0053]Ａ−ＭＳＤＵサブフレームの従来の構造は、以下の順序でフィールドを有する。
【００４３】
ＤＡ／ＳＡ／ＬＥＮ／ＭＳＤＵ
ただし、ＤＡはデスティネーションアドレスであり、ＳＡはソースアドレスであり、ＬＥＮは対応するＭＡＣサービスデータユニット（ＭＳＤＵ）の長さを示す長さフィールドである。しかしながら、本開示の態様は、次のように、前述のＡＴフィールドを備えた、新しい構造を提案する。
【００４４】
ＡＴ／Ｌｅｎ／｛ＤＡ｝／｛ＳＡ｝／ＭＳＤＵ
上述のように、いくつかのケースでは、ＡＴフィールドは、Ｌｅｎフィールドの前に来ることができ、これは、受信デバイスがサブフレームの構成をより早期に検出するのを助け得る。ＤＡおよびＳＡのまわりの括弧記号は、ＡＴフィールドの値に応じて、これらのフィールドが存在してもまたは存在しなくてもよいことを示す。
【００４５】
[0054]上述のように、ＡＴフィールドは、アドレスフィールドＳＡおよびＤＡが存在すること（または無いこと）を示す。ＬｅｎフィールドはＭＳＤＵの長さを特定し、ＭＳＤＵはアドレスフィールドの長さを含むことがあり（その場合には、ＬｅｎフィールドはＬｅｎフィールドの後のオクテットの数を特定する）、受信デバイスがＭＳＤＵの終わりを決定することを可能にする。
【００４６】
[0055]やはり、ＳＡフィールドおよびＤＡフィールドは、このＡ−ＭＳＤＵサブフレームフォーマット中に適宜存在し、ＭＳＤＵのソースアドレスとデスティネーションアドレスとをそれぞれ示す。いくつかのケースでは、ＡＴフィールドおよびＬｅｎフィールドの順序は、以下のように、上記の順序に対して逆であり得る。
【００４７】
Ｌｅｎ／ＡＴ／｛ＤＡ｝／｛ＳＡ｝／ＭＳＤＵ
[0056]ＡＴフィールドの長さ（ビット数）は、特定の実施または構成に応じて変わり得る。いくつかの態様によれば、ＡＴフィールドは、図４に示された例示的定義４００を用いれば、１ビットで構成され得る。示した例では、ＡＴについての「０」の値は、ＳＡもＤＡもサブフレーム中に存在しないことを示し得る。他方で、ＡＴについての「１」の値は、ＳＡとＤＡの両方がサブフレーム中に存在することを示し得る。
【００４８】
[0057]いくつかのケースでは、ＡＴフィールドは、より大きい柔軟性を与えるためにより多くのビットを有することができる。たとえば、より多くのビットは、ＳＡまたはＤＡフィールドの有無の独立した指示を可能にし得る。以下でより詳細に説明されるように、ＳＡフィールドまたはＤＡフィールドのいずれかが無いとき、ＡＴフィールドの値は、（ソースなどを示すのに必要とされる１つまたは複数の余分のビットの形態で）追加のオーバーヘッドのコストがかかるにもかかわらず、アドレスなどを推定するためのソースを示すことができる。
【００４９】
[0058]図５に示す例示的定義５００に示されるように、ＳＡまたはＤＡがＡ−ＭＳＤＵサブフレームに含まれないとき、ＳＡまたはＤＡは、様々なソースから推定され得る。たとえば、ソースは、ＭＰＤＵヘッダ中の実際値、（同じＭＰＤＵ中の）先のＭＳＤＵからのＳＡ／ＤＡ、または受信機に記憶されたＳＡ／ＤＡを含み得る。正確なソースまたはソースのリストは、作業者および／または標準化団体の間の実際の実施または同意に基づき得る。
【００５０】
[0059]ＳＡがＭＰＤＵヘッダから推定される場合、これは、ＳＡがＭＰＤＵヘッダ中に明示的に存在するか、または、ＳＡがＭＰＤＵヘッダ中に明示的に存在しないとき、ＳＡは、アドレス２（Ａ２）と一般に呼ばれる、ＭＰＤＵの送信機アドレス（ＴＡ）に等しいものであり得るかのずれかを意味し得る。同様に、ＤＡがＭＰＤＵから推定される場合、これは、ＤＡはＭＰＤＵヘッダ中に明示的に存在するか、または、ＤＡがＭＰＤＵヘッダ中に明示的に存在しないとき、ＤＡは、アドレス１（Ａ１）と一般に呼ばれる、ＭＰＤＵの受信機アドレス（ＲＡ）に等しいものであり得るかのいずれかを意味し得る。
【００５１】
[0060]いくつかの態様によれば、Ａ−ＭＳＤＵサブフレームフォーマットは、次のように、マルチビット（たとえば、２ビット）ＳＡプレゼント（ＳＡＰ）フィールドと、マルチビット（たとえば、２ビット）ＤＡプレゼント（ＤＡＰ）フィールドとを含み得る。
【００５２】
ＳＡＰ／ＤＡＰ／Ｌｅｎ／｛ＳＡ｝／｛ＤＡ｝／ＭＳＤＵ
２ビットＳＡＰフィールドの例示的定義は、図６の定義６００に示されている。同様に、２ビットＤＡＰフィールドの例示的定義は、示された図７の定義７００。示されるように、０の値は、サブフレーム中にＳＡ／ＤＡが存在することを示し得、一方、様々な非ゼロ値は、ＳＡ／ＤＡが推定され得る様々なソースを示し得る。
【００５３】
[0061]いくつかのケースでは、３ビットＡＴフィールドは、たとえば、図８に示される定義８００でしめされるように、ＳＡＰフィールドとＤＡＰフィールドとを組み合わせることによって定義され得る。示されるように、０の値は、サブフレーム中にＳＡとＤＡの両方が存在することを示し得、一方、様々な非ゼロ値は、対応するアドレスが推定され得る様々なソースとともに、ＳＡまたはＤＡの様々な組合せを示し得る。図９は、図８に示された定義８００と同様のマッピングをもつが、省かれたアドレスの各々についてのインターフェースのソースを示すようにアレンジされている定義９００を示す。
【００５４】
[0062]図１０は、図８および図９に示す例よりもさらに少ないビット（２ビット）でＡＴフィールドの例示的定義１０００を示す。やはり、０の値は、サブフレーム中にＳＡとＤＡの両方が存在することを示し得るが、この例では、より少ないビットは、省かれたＳＡまたはＤＡのための推定されるソースのより少ない組合せを可能にする。図１１は、シングルビットでＡＴフィールドの別の例示的定義１１００を示す。やはり、０の値は、サブフレーム中にＳＡとＤＡの両方が存在することを示し得るが、この例では、１の値は、ＳＡとＤＡの両方が無いこと、ならびに省かれたアドレスの各々についての推定されるソースを示し得る。
【００５５】
[0063]図１２は、本開示の態様による受信装置によるワイヤレス通信のための例示的動作１２００のブロック図である。動作１２００は、受信局（ＲＸ−ＳＴＡ）などの装置によって実行され得る。
【００５６】
[0064]１２０２で、装置は、フレームアグリゲーションを用いて送られたデータユニットのサブフレームを受信し、サブフレームは、サブフレーム中のソースアドレス（ＳＡ）またはデスティネーションアドレス（ＤＡ）のうちの少なくとも１つの有無を示す第１のフィールドを備える。１２０４で、装置は、第１のフィールド中の１つまたは複数のビットに基づいてデータユニットのためにＳＡおよびＤＡを決定する。
【００５７】
[0065]図１３は、本開示の態様による送信装置によるワイヤレス通信のための例示的動作１３００のブロック図である。動作１３００は、ＴＸ−ＳＴＡなどの装置によって実行され得る。したがって、動作は、図１２に示されたものと相補的なものと考えられ得る。
【００５８】
[0066]１３０２で、装置は、データユニットのサブフレームを生成し、サブフレームは、サブフレーム中のソースアドレス（ＳＡ）またはデスティネーションアドレス（ＤＡ）のうちの少なくとも１つの有無を示す第１のフィールドを備える。１３０４で、装置は、フレームアグリゲーションを用いてデータユニット中で別の装置へサブフレームを送信する。
【００５９】
[0067]上述のように、ＡＴフィールドは、サブフレーム中のＭａｃサービスデータユニット（ＭＳＤＵ）の長さを示す第２のフィールドの前でサブフレーム中に位置し得る。いくつかのケースでは、ＡＴフィールドは、サブフレーム中に存在する場合、ＳＡまたはＤＡのうちの少なくとも１つの位置の前でサブフレーム中に位置し得る。
【００６０】
[0068]上述のように、図では、ＡＴフィールドのシングルビットは、サブフレーム中にＳＡとＤＡの両方が存在すること、またはサブフレームにはＳＡとＤＡの両方が無いこと、のいずれかを示し得る。 
[0069]ＡＴフィールドは、ＳＡまたはＤＡのうちの少なくとも１つがサブフレームに無い場合、ＳＡまたはＤＡのうちの少なくとも１つの値が、他方の装置によって、サブフレーム以外のソースから決定されることになることも示し得る。ソースは、ＭＡＣプロトコルデータユニット（ＭＰＤＵ）ヘッダ、サブフレームの前に受信される先行ＭＳＤＵ、または装置に記憶された値のうちの少なくとも１つを備え得る。いくつかのケースでは、ＳＡは、ＭＰＤＵヘッダ中に送信機アドレス（ＴＡ）から決定され得、またはＤＡは、ＭＰＤＵヘッダ中に受信機アドレス（ＲＡ）から決定され得る。
【００６１】
[0070]いくつかの態様によれば、ＡＴフィールドは、サブフレーム中にＳＡが存在すること、または、サブフレーム中に存在しない場合にＳＡを推定するためのソース、を示す１つまたは複数のビットを有するＳＡプレゼントフィールド、および／または、サブフレーム中にＤＡが存在すること、または、サブフレーム中に存在しない場合にＤＡを推定するためのソース、を示す１つもしくは複数のビット有するＤＡプレゼントフィールドを有し得る。そのようなケースでは、ＳＡプレゼントフィールドは、ＳＡがサブフレームには無い場合、ＳＡは、受信機へ送信されたＭＡＣプロトコルデータユニット（ＭＰＤＵ）ヘッダ、当該サブフレームの前に送信された先行ＭＳＤＵ、または受信機に記憶された値、のうちの少なくとも１つから推定されるべきことを示し得る。同様に、ＤＡプレゼントフィールドは、ＤＡがサブフレームには無い場合、ＤＡは、受信機へ送信されたＭＡＣプロトコルデータユニット（ＭＰＤＵ）ヘッダ、現在のサブフレームの前に送信された先行ＭＳＤＵ、または受信機に記憶された値、のうちの少なくとも１つから推定されるべきことを示し得る。
【００６２】
[0071]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。一般に、図に示す動作がある場合、それらの動作は、同様の番号をもつ対応するカウンターパートのミーンズプラスファンクション構成要素を有し得る。たとえば、図１２および図１３に示す動作１２００および１３００はそれぞれ、図１２Ａおよび図１３Ａに示す手段１２００Ａおよび１３００Ａに対応する。
【００６３】
[0072]たとえば、送信するための手段は、図２に示されるアクセスポイント１１０の送信機（たとえば、送信機ユニット２２２）および／または（１つまたは複数の）アンテナ２２４、あるいは図３に示される送信機３１０および／または（１つまたは複数の）アンテナ３１６を備え得る。受信するための手段は、図２に示されるアクセスポイント１１０の受信機（たとえば、受信機ユニット２２２）および／または（１つまたは複数の）アンテナ２２４、あるいは図３に示される受信機３１２および／または（１つまたは複数の）アンテナ３１６を備え得る。処理するための手段、決定するための手段、検出するための手段、スキャンするための手段、選択するための手段、または動作を終了するための手段は、処理システムを備えることができ、処理システムは、図２に示される、アクセスポイント１１０のＲＸデータプロセッサ２４２、ＴＸデータプロセッサ２１０、および／またはコントローラ２３０、あるいは図３に描かれるプロセッサ３０４および／またはＤＳＰ３２０など、１つまたは複数のプロセッサを含み得る。
【００６４】
[0073]さらに、いくつかのケースでは、サブフレーム（または他の構造）を実際に送信するのではなく、エンティティ（たとえば、プロセッサ）が、送信のための別のエンティティ（たとえば、ＲＦフロントエンドまたはモデム）へ（たとえば、バスを介して）そのような構造を出力することができる。同様に、サブフレーム（または他の構造）を実際に受信するのではなく、エンティティ（たとえば、プロセッサ）が、別のエンティティから（たとえば、ＲＦフロントエンドまたはモデムから）（たとえば、バスを介して）そのような構造を受信することができる。
【００６５】
[0074]本明細書で使用する「決定」という用語は、多種多様なアクションを包含する。たとえば、「決定」は、算出、計算、処理、導出、調査、探索（たとえば、テーブル、データベース、または別のデータ構造での探索）、確認などを含むことができる。また、「決定」は、受信（たとえば、情報を受信すること）、アクセス（たとえば、メモリ中のデータにアクセスすること）などを含むことができる。また、「決定」は、解決、選択、選出、確立などを含むことができる。
【００６６】
[0075]本明細書で使用する、項目のリスト「のうちの少なくとも１つ」を指す句は、単一のメンバーを含む、それらのアイテムの任意の組合せを指す。一例として、「ａ、ｂ、またはｃのうちの少なくとも１つ」は、ａ、ｂ、ｃ、ａ〜ｂ、ａ〜ｃ、ｂ〜ｃ、およびａ〜ｂ〜ｃをカバーするものとする。
【００６７】
[0076]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行できる。汎用プロセッサはマイクロプロセッサであり得るが、代替として、プロセッサは、任意の市販のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【００６８】
[0077]本開示に関連して説明した方法またはアルゴリズムのステップは、直接ハードウェアか、プロセッサによって実行されるソフトウェアモジュールか、またはその２つの組合せで実施できる。ソフトウェアモジュールは、当技術分野で知られている任意の形式の記憶媒体中に常駐することができる。使用できる記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備えることができ、いくつかの異なるコードセグメント上で、異なるプログラム間で、および複数の記憶媒体にわたって分散できる。記憶媒体は、プロセッサがその記憶媒体から情報を読み取ることができ、その記憶媒体に情報を書き込むことができるように、プロセッサに結合できる。代替として、記憶媒体はプロセッサに一体化することができる。
【００６９】
[0078]本明細書で開示する方法は、説明した方法を達成するための１つまたは複数のステップまたはアクションを備える。方法のステップおよび／またはアクションは、特許請求の範囲から逸脱せずに互いに交換される可能性がある。言い換えれば、ステップまたはアクションの特定の順序が指定されない限り、特定のステップおよび／またはアクションの順序および／または使用は特許請求の範囲から逸脱することなく変更できる。
【００７０】
[0079]説明した機能は、ハードウェア、ソフトウェア、ファームウェア、またはそれらの組合せで実装できる。ハードウェアで実装される場合、例示的ハードウェア構成は、ワイヤレスノード内の処理システムを備え得る。処理システムは、バスアーキテクチャを使って実装され得る。バスは、処理システムの特定の適用例および全体的な設計制約に応じて、任意の数の相互接続バスおよびブリッジを含み得る。そのバスは、プロセッサと、機械可読媒体と、バスインターフェースとを含む様々な回路を互いにリンクし得る。バスインターフェースは、ネットワークアダプタを、特に、バスを介して処理システムに接続するのに使われ得る。ネットワークアダプタは、ＰＨＹ層の信号処理機能を実装するのに使われ得る。ユーザ端末１２０（図１参照）の場合、ユーザインターフェース（たとえば、キーパッド、ディスプレイ、マウス、ジョイスティックなど）をバスに接続することもできる。バスは、タイミングソース、周辺機器、電圧調整器、電力管理回路など様々な他の回路をリンクさせることも可能であり、これは当技術分野ではよく知られているので、これ以上説明しない。
【００７１】
[0080]プロセッサは、機械可読媒体に格納されたソフトウェアの実行を含む、バスおよび一般的な処理を管理することを担当し得る。プロセッサは、１つまたは複数の汎用および／または専用プロセッサを用いて実装することができる。例としては、マイクロプロセッサ、マイクロコントローラ、ＤＳＰプロセッサ、およびソフトウェアを実行できる他の回路がある。ソフトウェアは、ソフトウェア、ファームウェア、ミドルウェア、マイクロコード、ハードウェア記述言語などの名称にかかわらず、命令、データ、またはそれらの組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、もしくは他の適切な記憶媒体、またはそれらの任意の組合せを含むことができる。機械可読媒体はコンピュータプログラム製品に具現化され得る。コンピュータプログラム製品は、実装材料を備え得る。
【００７２】
[0081]ハードウェア実装形態では、機械可読媒体は、処理システムの一部であるか、またはプロセッサとは別個であり得る。しかしながら、当業者なら容易に理解するように、機械可読媒体またはその任意の部分は処理システムの外部に存在することができる。例として、機械可読媒体は、すべてバスインターフェースを介してプロセッサがアクセスし得る、送信線路、データによって変調された搬送波、および／またはワイヤレスノードとは別個のコンピュータ製品を含み得る。代替的または追加的に、機械可読媒体またはその任意の部分は、キャッシュおよび／または汎用レジスタファイルがそうであるようにプロセッサに統合することができる。
【００７３】
[0082]処理システムは、すべて外部バスアーキテクチャを介して他のサポート回路と互いにリンクされる、プロセッサ機能を与える１つまたは複数のマイクロプロセッサと、機械可読媒体の少なくとも一部を与える外部メモリとをもつ汎用処理システムとして構成することができる。代替的に、処理システムは、プロセッサをもつＡＳＩＣ（特定用途向け集積回路）と、バスインターフェースと、アクセス端末の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の適切な回路、または本開示全体にわたって説明する様々な機能を実行することができる回路の任意の組合せを用いて、実装され得る。当業者なら、特定の適用例および全体的なシステムに課される全体的な設計制約に応じて、どのようにしたら処理システムについて説明した機能を最も良く実装できるかを理解されよう。
【００７４】
[0083]機械可読媒体は、いくつかのソフトウェアモジュールを備え得る。ソフトウェアモジュールは、プロセッサによって実行されたときに、処理システムに様々な機能を実行させる命令を含む。ソフトウェアモジュールは、送信モジュールと受信モジュールとを含み得る。各ソフトウェアモジュールは、単一の記憶デバイス内に存在することができ、または複数の記憶デバイスに分散することができる。例として、トリガイベントが発生したときに、ソフトウェアモジュールをハードドライブからＲＡＭにロードすることができる。ソフトウェアモジュールの実行中、プロセッサは、アクセス速度を高めるために、命令のいくつかをキャッシュにロードすることができる。次いで、１つまたは複数のキャッシュラインを、プロセッサによる実行のために汎用レジスタファイルにロードすることができる。以下でソフトウェアモジュールの機能に言及する場合、そのような機能は、そのソフトウェアモジュールからの命令を実行したときにプロセッサによって実装されることが理解されよう。
【００７５】
[0084]ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるとき、ディスク（ｄｉｓｋ）とディスク（ｄｉｓｃ）とは、コンパクトディスク（ｃｏｍｐａｃｔ  ｄｉｓｃ）（ＣＤ）と、レーザディスク（登録商標）（ｌａｓｅｒ  ｄｉｓｃ）と、光ディスク（ｏｐｔｉｃａｌ  ｄｉｓｃ）と、デジタルバーサタイルディスク（ｄｉｇｉｔａｌ  ｖｅｒｓａｔｉｌｅ  ｄｉｓｃ）（ＤＶＤ）と、フロッピー（登録商標）ディスク（ｆｌｏｐｐｙ  ｄｉｓｋ）と、ブルーレイ（登録商標）ディスク（Ｂｌｕ−ｒａｙ（登録商標）  ｄｉｓｃ）とを含み、ディスク（ｄｉｓｋ）が、通常、磁気的にデータを再生する一方、ディスク（ｄｉｓｃ）は、レーザを用いて光学的にデータを再生する。したがって、いくつかの態様では、コンピュータ可読媒体は一時的でないコンピュータ可読媒体（たとえば、有形媒体）を備え得る。さらに、他の態様では、コンピュータ可読媒体は、一時的なコンピュータ可読媒体（たとえば、信号）を備え得る。上記の組合せもコンピュータ可読媒体の範囲内に含めるべきである。
【００７６】
[0085]したがって、いくつかの態様は、本明細書で提示する動作を実行するためのコンピュータプログラム製品を備え得る。たとえば、そのようなコンピュータプログラム製品は、本明細書で説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【００７７】
[0086]さらに、本明細書に記載の方法および技法を実行するためのモジュールおよび／または他の適切な手段は、適用可能な場合にユーザ端末および／または基地局によってダウンロードおよび／または他の方法で取得できることを諒解されたい。たとえば、そのようなデバイスは、本明細書で説明する方法を実施するための手段の転送を容易にするために、サーバに結合することができる。代替的に、本明細書で説明される様々な方法は、ユーザ端末および／または基地局がストレージ手段をデバイスに結合するかまたは与えると様々な方法を得ることができるように、ストレージ手段（たとえば、ＲＡＭ、ＲＯＭ、コンパクトディスク（ＣＤ）またはフロッピーディスクなど物理記憶媒体など）によって提供できる。さらに、本明細書で説明する方法および技法をデバイスに与えるための任意の他の適切な技法を利用することができる。
【００７８】
[0087]特許請求の範囲は、上記に示した正確な構成および構成要素に限定されないことを理解されたい。上記の方法および装置の構成、動作および詳細において、特許請求の範囲から逸脱することなく、様々な改変、変更および変形を行うことができる。
以下に、本願出願の当初の特許請求の範囲に記載された発明を付記する。
［Ｃ１］
ワイヤレス通信のための装置であって、
データユニットのサブフレームを生成するように構成された処理システムと、前記サブフレームは、前記サブフレーム中のソースアドレス（ＳＡ）またはデスティネーションアドレス（ＤＡ）のうちの少なくとも１つの有無を示す第１のフィールドを備え、
フレームアグリゲーションを用いて、前記データユニット中で他方の装置へ前記サブフレームを送信するように構成された送信機と、
を備える装置。
［Ｃ２］
前記第１のフィールドは、前記サブフレーム中のＭａｃサービスデータユニット（ＭＳＤＵ）の長さを示す第２のフィールドの前で前記サブフレーム中に位置する、Ｃ１に記載の装置。
［Ｃ３］
前記第１のフィールドは、前記サブフレーム中に存在する場合、前記ＳＡまたはＤＡのうちの少なくとも１つの位置の前で前記サブフレーム中に位置する、Ｃ１に記載の装置。
［Ｃ４］
前記第１のフィールドのシングルビットは、
前記サブフレーム中に前記ＳＡとＤＡの両方が存在すること、または
前記サブフレームには前記ＳＡとＤＡの両方が無いこと、
のいずれかを示す、Ｃ１に記載の装置。
［Ｃ５］
前記処理システムは、ＳＡまたはＤＡのうちの少なくとも１つが前記サブフレームには無い場合、前記ＳＡまたはＤＡのうちの前記少なくとも１つが、前記サブフレーム以外のソースから前記他方の装置によって決定されることを前記第１のフィールドを介して示すように構成されている、Ｃ１に記載の装置。
［Ｃ６］
前記ソースは、ＭＡＣプロトコルデータユニット（ＭＰＤＵ）ヘッダ、前記サブフレームの前に受信された先行ＭＳＤＵ、または前記装置に記憶された値のうちの少なくとも１つを備える、Ｃ５に記載の装置。
［Ｃ７］
前記処理システムは、
ＳＡが、前記ＭＰＤＵヘッダ中の送信機アドレス（ＴＡ）から決定されること、または
ＤＡが、前記ＭＰＤＵヘッダ中の受信機アドレス（ＲＡ）から決定されること、
のうちの少なくとも１つを前記第１のフィールドを介して示すように構成されている
Ｃ６に記載の装置。
［Ｃ８］
前記第１のフィールドは、
前記サブフレーム中に前記ＳＡが存在すること、または前記サブフレーム中に存在しない場合に前記ＳＡを推定するためのソースを示す１つまたは複数のビットをもつＳＡプレゼントフィールド、または、
前記サブフレーム中に前記ＤＡが存在すること、または前記サブフレーム中に存在しない場合に前記ＤＡを推定するためのソースを示すＤＡプレゼントフィールド
のうちの少なくとも１つを備える、Ｃ１に記載の装置。
［Ｃ９］
前記ＳＡプレゼントフィールドは、前記ＳＡが前記サブフレームには無い場合、前記ＳＡが、前記装置へ送信されたＭＡＣプロトコルデータユニット（ＭＰＤＵ）ヘッダ、前記サブフレームの前に送信された先行ＭＳＤＵ、または前記装置に記憶された値のうちの少なくとも１つから推定されることを示す、Ｃ８に記載の装置。
［Ｃ１０］
前記ＤＡプレゼントフィールドは、前記ＤＡが前記サブフレームには無い場合、前記ＤＡが、前記装置へ送信されたＭＡＣプロトコルデータユニット（ＭＰＤＵ）ヘッダ、前記サブフレームの前に送信された先行ＭＳＤＵ、または前記装置に記憶された値のうちの少なくとも１つから推定されることを示す、Ｃ８に記載の装置。
［Ｃ１１］
フレームアグリゲーションを用いて送られたデータユニットのサブフレームを受信するように構成された受信機と、前記サブフレームは、前記サブフレーム中のソースアドレス（ＳＡ）またはデスティネーションアドレス（ＤＡ）のうちの少なくとも１つの有無を示す第１のフィールドを備え、
前記第１のフィールド中の１つまたは複数のビットに基づいて前記データユニットのために前記ＳＡおよびＤＡのうちの少なくとも１つを決定するように構成された処理システムと、
を備えるワイヤレス通信のための装置。
［Ｃ１２］
前記第１のフィールドのシングルビットは、
前記サブフレーム中に前記ＳＡとＤＡの両方が存在すること、または
前記サブフレームには前記ＳＡとＤＡの両方が無いこと、
のいずれかを示す、Ｃ１１に記載の装置。
［Ｃ１３］
前記処理システムは、ＳＡまたはＤＡのうちの少なくとも１つが前記サブフレームに無い場合、前記第１のフィールドによって示される前記サブフレーム以外のソースから、前記ＳＡまたはＤＡのうちの前記少なくとも１つを決定するように構成される、Ｃ１１に記載の装置。
［Ｃ１４］
前記ソースは、ＭＡＣプロトコルデータユニット（ＭＰＤＵ）ヘッダ、前記サブフレームの前に受信された先行ＭＳＤＵ、または前記装置に記憶された値のうちの少なくとも１つを備える、Ｃ１３に記載の装置。
［Ｃ１５］
前記処理システムは、
前記ＭＰＤＵヘッダ中の送信機アドレス（ＴＡ）からＳＡ、または
前記ＭＰＤＵヘッダ中の受信機アドレス（ＲＡ）からＤＡ
のうちの少なくとも１つを推定するように構成されている、Ｃ１４に記載の装置。
［Ｃ１６］
前記処理システムは、
前記サブフレーム中にＳＡが存在すること、または前記サブフレーム中に存在しない場合に前記ＳＡを推定するためのソースを示す１つまたは複数のビットを有する前記サブフレーム中のＳＡプレゼントフィールドに基づいて前記ＳＡ、または、
前記サブフレーム中にＤＡが存在すること、または前記サブフレーム中に存在しない場合にＤＡを推定するためのソースを示す１つまたは複数のビットを有する前記サブフレーム中のＤＡプレゼントフィールドに基づいて前記ＤＡ
のうちの少なくとも１つを決定する、Ｃ１１に記載の装置。
［Ｃ１７］
前記ＳＡプレゼントフィールドは、前記ＳＡが前記サブフレームには無い場合、前記ＳＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、Ｃ１６に記載の装置。
［Ｃ１８］
前記ＤＡプレゼントフィールドは、前記ＤＡが前記サブフレームには無い場合、前記ＤＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、Ｃ１６に記載の装置。
［Ｃ１９］
データユニットのサブフレームを生成するための手段と、前記サブフレームは、前記サブフレーム中のソースアドレス（ＳＡ）またはデスティネーションアドレス（ＤＡ）のうちの少なくとも１つの有無を示す第１のフィールドを備え、
フレームアグリゲーションを用いて、前記データユニット中で他方の装置へ前記サブフレームを送信するための手段と、
を備えるワイヤレス通信のための装置。
［Ｃ２０］
前記第１のフィールドは、前記サブフレーム中のＭａｃサービスデータユニット（ＭＳＤＵ）の長さを示す第２のフィールドの前で前記サブフレーム中に位置する、Ｃ１９に記載の装置。
［Ｃ２１］
前記第１のフィールドは、前記サブフレーム中に存在する場合、前記ＳＡまたはＤＡのうちの少なくとも１つの位置の前で前記サブフレーム中に位置する、Ｃ１９に記載の装置。
［Ｃ２２］
前記第１のフィールドのシングルビットは、 
前記サブフレーム中に前記ＳＡとＤＡの両方が存在すること、または
前記サブフレームには前記ＳＡとＤＡの両方が無いこと、
のいずれかを示す、Ｃ１９に記載の装置。
［Ｃ２３］
前記生成するための手段は、ＳＡまたはＤＡのうちの前記少なくとも１つが前記サブフレームには無い場合、前記ＳＡまたはＤＡのうちの少なくとも１つが、前記サブフレーム以外のソースから前記他方の装置によって決定されることを前記第１のフィールドを介して示すように構成されている、Ｃ１９に記載の装置。
［Ｃ２４］
前記ソースは、ＭＡＣプロトコルデータユニット（ＭＰＤＵ）ヘッダ、前記サブフレームの前に受信された先行ＭＳＤＵ、または前記装置に記憶された値のうちの少なくとも１つを備える、Ｃ２３に記載の装置。
［Ｃ２５］
前記生成するための手段は、
ＳＡが、前記ＭＰＤＵヘッダ中の送信機アドレス（ＴＡ）から決定されること、または
ＤＡが、前記ＭＰＤＵヘッダ中の受信機アドレス（ＲＡ）から決定されること
のうちの少なくとも１つを前記第１のフィールドを介して示すように構成されている、Ｃ２４に記載の装置。
［Ｃ２６］
前記第１のフィールドは、
前記サブフレーム中に前記ＳＡが存在すること、または前記サブフレーム中に存在しない場合に前記ＳＡを推定するためのソースを示す１つまたは複数のビットを有するＳＡプレゼントフィールド、または
前記サブフレーム中に前記ＤＡが存在すること、または前記サブフレーム中に存在しない場合に前記ＳＡを推定するためのソースを示す１つまたは複数のビットを有するＤＡプレゼントフィールド、
のうちの少なくとも１つを備える、Ｃ１９に記載の装置。
［Ｃ２７］
前記ＳＡプレゼントフィールドは、前記ＳＡが前記サブフレームには無い場合、前記ＳＡが、前記装置へ送信されたＭＡＣプロトコルデータユニット（ＭＰＤＵ）ヘッダ、前記サブフレームの前に送信された先行ＭＳＤＵ、または前記装置に記憶された値のうちの少なくとも１つから推定されることを示す、Ｃ２６に記載の装置。
［Ｃ２８］
前記ＤＡプレゼントフィールドは、前記ＤＡが前記サブフレームには無い場合、前記ＤＡが、前記装置へ送信されたＭＡＣプロトコルデータユニット（ＭＰＤＵ）ヘッダ、前記サブフレームの前に送信された先行ＭＳＤＵ、または前記装置に記憶された値のうちの少なくとも１つから推定されることを示す、Ｃ２６に記載の装置。
［Ｃ２９］
フレームアグリゲーションを用いて送られたデータユニットのサブフレームを受信するための手段と、前記サブフレームは、前記サブフレーム中のソースアドレス（ＳＡ）またはデスティネーションアドレス（ＤＡ）のうちの少なくとも１つの有無を示す第１のフィールドを備え、
前記第１のフィールド中の１つまたは複数のビットに基づいて前記データユニットのために前記ＳＡおよびＤＡのうちの少なくとも１つを決定するための手段と、
を備えたワイヤレス通信のための装置。
［Ｃ３０］
前記第１のフィールドのシングルビットは、
前記サブフレーム中に前記ＳＡとＤＡの両方が存在すること、または
前記サブフレームには前記ＳＡとＤＡの両方が無いこと、
のいずれかを示す、Ｃ２９に記載の装置。
［Ｃ３１］
前記決定するための手段は、前記ＳＡまたはＤＡのうちの少なくとも１つが前記サブフレームには無い場合、前記第１のフィールドによって示される前記サブフレーム以外のソースから、前記ＳＡまたはＤＡのうちの前記少なくとも１つを決定するように構成される、Ｃ２９に記載の装置。
［Ｃ３２］
前記ソースは、ＭＡＣプロトコルデータユニット（ＭＰＤＵ）ヘッダ、前記サブフレームの前に受信された先行ＭＳＤＵ、または前記装置に記憶された値のうちの少なくとも１つを備える、Ｃ３１に記載の装置。
［Ｃ３３］
前記決定するための手段は、
前記ＭＰＤＵヘッダ中の送信機アドレス（ＴＡ）からＳＡ、または
前記ＭＰＤＵヘッダ中の受信機アドレス（ＲＡ）からＤＡ
のうちの少なくとも１つを推定するように構成されている、Ｃ３２に記載の装置。
［Ｃ３４］
前記決定するための手段は、
前記サブフレーム中にＳＡが存在すること、または前記サブフレーム中に存在しない場合に前記ＳＡを推定するためのソースを示す１つまたは複数のビットを有する前記サブフレーム中のＳＡプレゼントフィールドに基づいて前記ＳＡ、または、
前記サブフレーム中にＤＡが存在すること、または前記サブフレーム中に存在しない場合に前記ＤＡを推定するためのソースを示す１つまたは複数のビットを有する前記サブフレーム中のＤＡプレゼントフィールドに基づいて前記ＤＡ
のうちの少なくとも１つを決定する、Ｃ２９に記載の装置。
［Ｃ３５］
前記ＳＡプレゼントフィールドは、前記ＳＡが前記サブフレームには無い場合、前記ＳＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、Ｃ３４に記載の装置。
［Ｃ３６］
前記ＤＡプレゼントフィールドは、前記ＤＡが前記サブフレームには無い場合、前記ＤＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、Ｃ３４に記載の装置。
［Ｃ３７］
装置によるワイヤレス通信のための方法であって、
データユニットのサブフレームを生成することと、前記サブフレームは、前記サブフレーム中のソースアドレス（ＳＡ）またはデスティネーションアドレス（ＤＡ）のうちの少なくとも１つの有無を示す第１のフィールドを備える、
フレームアグリゲーションを用いて、前記データユニット中で他方の装置へ前記サブフレームを送信することと、
を備える方法。
［Ｃ３８］
前記第１のフィールドは、前記サブフレームのＭａｃサービスデータユニット（ＭＳＤＵ）の長さを示す第２のフィールドの前で前記サブフレーム中に位置する、Ｃ３７に記載の方法。
［Ｃ３９］
前記第１のフィールドは、前記サブフレーム中に存在する場合、前記ＳＡまたはＤＡのうちの少なくとも１つの位置の前で前記サブフレーム中に位置する、Ｃ３７に記載の方法。
［Ｃ４０］
前記第１のフィールドのシングルビットは、
前記サブフレーム中に前記ＳＡとＤＡの両方が存在すること、または
前記サブフレームには前記ＳＡとＤＡの両方が無いこと
のいずれかを示す、Ｃ３７に記載の方法。
［Ｃ４１］
前記生成することは、前記ＳＡまたはＤＡのうちの少なくとも１つが前記サブフレームには無い場合、前記ＳＡまたはＤＡのうちの前記少なくとも１つが、前記サブフレーム以外のソースから前記他方の装置によって決定されることを前記第１のフィールドを介して示すことを備える、Ｃ３７に記載の方法。
［Ｃ４２］
前記ソースは、ＭＡＣプロトコルデータユニット（ＭＰＤＵ）ヘッダ、前記サブフレームの前に受信された先行ＭＳＤＵ、または前記装置に記憶された値のうちの少なくとも１つを備える、Ｃ４１に記載の方法。
［Ｃ４３］
前記生成することは、
ＳＡが、前記ＭＰＤＵヘッダ中の送信機アドレス（ＴＡ）から決定されること、または
ＤＡが、前記ＭＰＤＵヘッダ中の受信機アドレス（ＲＡ）から決定されること、
のうちの少なくとも１つを前記第１のフィールドを介して示すことを備える、Ｃ４２に記載の方法。
［Ｃ４４］
前記第１のフィールドは、
前記サブフレーム中に前記ＳＡが存在すること、または前記サブフレーム中に存在しない場合に前記ＳＡを推定するためのソースを示す１つまたは複数のビットを有するＳＡプレゼントフィールド、または、
前記サブフレーム中に前記ＤＡが存在すること、または前記サブフレーム中に存在しない場合に前記ＳＡを推定するためのソースを示す１つまたは複数のビットを有するＤＡプレゼントフィールド、
のうちの少なくとも１つを備える、Ｃ３７に記載の方法。
［Ｃ４５］
前記ＳＡプレゼントフィールドは、前記ＳＡが前記サブフレームには無い場合、前記ＳＡが、前記装置へ送信されたＭＡＣプロトコルデータユニット（ＭＰＤＵ）ヘッダ、前記サブフレームの前に送信された先行ＭＳＤＵ、または前記装置に記憶された値のうちの少なくとも１つから推定されることを示す、Ｃ４４に記載の方法。
［Ｃ４６］
前記ＤＡプレゼントフィールドは、前記ＤＡが前記サブフレームには無い場合、前記ＤＡが、前記装置へ送信されたＭＡＣプロトコルデータユニット（ＭＰＤＵ）ヘッダ、前記サブフレームの前に送信された先行ＭＳＤＵ、または前記装置に記憶された値のうちの少なくとも１つから推定されることを示す、Ｃ４５に記載の方法。
［Ｃ４７］
ワイヤレス通信のための方法であって、
フレームアグリゲーションを用いて送られたデータユニットのサブフレームを受信することと、前記サブフレームは、前記サブフレーム中のソースアドレス（ＳＡ）またはデスティネーションアドレス（ＤＡ）のうちの少なくとも１つの有無を示す第１のフィールドを備え、
前記第１のフィールド中の１つまたは複数のビットに基づいて前記データユニットのために前記ＳＡおよびＤＡのうちの少なくとも１つを決定することと、
を備える方法。
［Ｃ４８］
前記第１のフィールドのシングルビットは、
前記サブフレーム中に前記ＳＡとＤＡの両方が存在すること、または
前記サブフレームには前記ＳＡとＤＡの両方が無いこと、
のいずれかを示す、Ｃ４７に記載の方法。
［Ｃ４９］
前記決定することは、ＳＡまたはＤＡのうちの少なくとも１つが前記サブフレームには無い場合、前記第１のフィールドによって示される前記サブフレーム以外のソースから、ＳＡまたはＤＡのうちの少なくとも１つの値を決定することを備える、Ｃ４７に記載の方法。
［Ｃ５０］
前記ソースは、ＭＡＣプロトコルデータユニット（ＭＰＤＵ）ヘッダ、前記サブフレームの前に受信された先行ＭＳＤＵ、または前記装置に記憶された値のうちの少なくとも１つを備える、Ｃ４９に記載の方法。
［Ｃ５１］
前記決定することは、
前記ＭＰＤＵヘッダ中の送信機アドレス（ＴＡ）からＳＡ、または
前記ＭＰＤＵヘッダ中の受信機アドレス（ＲＡ）からＤＡ
のうちの少なくとも１つを推定することを備える、Ｃ５０に記載の方法。
［Ｃ５２］
前記決定することは、
前記サブフレーム中にＳＡが存在すること、または前記サブフレーム中に存在しない場合に前記ＳＡを推定するためのソースを示す１つまたは複数のビットを有する前記サブフレーム中のＳＡプレゼントフィールドに基づいて前記ＳＡ、または、
前記サブフレーム中にＤＡが存在すること、または前記サブフレーム中に存在しない場合に前記ＤＡを推定するためのソースを示す１つまたは複数のビットを有する前記サブフレーム中のＤＡプレゼントフィールドに基づいて前記ＤＡ
のうちの少なくとも１つを決定することを備える、Ｃ４７に記載の方法。
［Ｃ５３］
前記ＳＡプレゼントフィールドは、前記ＳＡが前記サブフレームには無い場合、前記ＳＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、Ｃ５２に記載の方法。
［Ｃ５４］
前記ＤＡプレゼントフィールドは、前記ＤＡが前記サブフレームには無い場合、前記ＤＡが、ＭＡＣプロトコルデータユニット（ＭＰＤＵ）ヘッダ、前記サブフレームの前に受信された先行ＭＳＤＵ、または前記装置に記憶された値のうちの少なくとも１つから推定されることを示す、Ｃ５２に記載の方法。
［Ｃ５５］
少なくとも１つのアンテナと、
データユニットのサブフレームを生成するように構成された処理システムと、前記サブフレームは、前記サブフレーム中のソースアドレス（ＳＡ）またはデスティネーションアドレス（ＤＡ）のうちの少なくとも１つの有無を示す第１のフィールドを備え、
フレームアグリゲーションを用いて、前記データユニット中で他方の局へ前記サブフレームを前記少なくとも１つのアンテナを介して送信するように構成された送信機と、
を備えた局。
［Ｃ５６］
少なくとも１つのアンテナと、
フレームアグリゲーションを用いて送られたデータユニットのサブフレームを前記少なくとも１つのアンテナを介して受信するように構成された受信機と、前記サブフレームは、前記サブフレーム中のソースアドレス（ＳＡ）またはデスティネーションアドレス（ＤＡ）のうちの少なくとも１つの有無を示す第１のフィールドを備え、
前記第１のフィールド中の１つまたは複数のビットに基づいて前記データユニットのために前記ＳＡおよびＤＡのうちの少なくとも１つを決定するように構成された処理システムと、
を備えた局。
［Ｃ５７］
装置によるワイヤレス通信のためのコンピュータプログラム製品であって、
データユニットのサブフレームを生成し、前記サブフレームは、前記サブフレーム中のソースアドレス（ＳＡ）またはデスティネーションアドレス（ＤＡ）のうちの少なくとも１つの有無を示す第１のフィールドを備え、
フレームアグリゲーションを用いて、前記データユニット中で他方の装置へ前記サブフレームを送信する
ために命令を記憶したコンピュータ可読媒体を備える、コンピュータプログラム製品。
［Ｃ５８］
ワイヤレス通信のためのコンピュータプログラム製品であって、
フレームアグリゲーションを用いて送られたデータユニットのサブフレームを受信し、前記サブフレームは、前記サブフレーム中のソースアドレス（ＳＡ）またはデスティネーションアドレス（ＤＡ）のうちの少なくとも１つの有無を示す第１のフィールドを備え、
前記第１のフィールド中の１つまたは複数のビットに基づいて前記データユニットのために前記ＳＡおよびＤＡのうちの少なくとも１つを決定する
ために命令を記憶したコンピュータ可読媒体を備える、コンピュータプログラム製品。
【図１】
0006363167.tif 000002
【図２】
0006363167.tif 000003
【図３】
0006363167.tif 000004
【図４】
0006363167.tif 000005
【図５】
0006363167.tif 000006
【図６】
0006363167.tif 000007
【図７】
0006363167.tif 000008
【図８】
0006363167.tif 000009
【図９】
0006363167.tif 000010
【図１０】
0006363167.tif 000011
【図１１】
0006363167.tif 000012
【図１２】
0006363167.tif 000013
【図１２Ａ】
0006363167.tif 000014
【図１３】
0006363167.tif 000015
【図１３Ａ】
0006363167.tif 000016